(57)【要約】【課題】頸部、肩部、腰部、膝等の疼痛部位に蓄積されている疼痛関連物質の濃度などを解析するために、疼痛部位より蒸散する汗を正確に捕集する。【解決手段】疼痛部位等の汗を捕集する部位を覆い得る形状および広さを有する汗吸収シートを、汗吸収シートよりも広い面積を有する熱可塑性樹脂よりなるフィルム上に配置し、汗吸収シートの周辺を密封部材にて密封したもので、汗を捕集する部位に汗吸収シートを密着させて汗を捕集する。【選択図】            図１
2004216020.tif 000002
【特許請求の範囲】
【請求項１】
少なくとも汗を捕集する部位を覆い得る形状および広さの汗吸収シートを、該汗吸収シートよりも広い熱可塑性樹脂等よりなるフィルム上に配置し、前記汗吸収シートの周辺を密封部材にて密封した構成で、吸収シート側を汗を採取する部位に密着させて汗を捕集する汗捕集用具。
【請求項２】
前記フィルムと前記吸収シートの間に更に他の吸湿性シートを挿入した請求項１の汗捕集用具。
【発明の詳細な説明】
【０００１】
【発明の属する技術分野】
本発明はヒトの体表面から蒸散する汗を捕集するための用具に関するもので、特に汗に含まれる物質の正確な解析のために使用される汗捕集用具に関するものである。
【０００２】
【従来の技術】
ヒトの体表面から蒸散する汗を捕集するための手段、用具は従来知られていない。特に、ヒトの体表面から蒸散する汗の中に溶解している物質を正確に解析するために用いる、また解析が可能である捕集用具は全く知られていない。
【０００３】
ヒトは高齢化に伴い、頸部、肩部、腰部、膝等の下肢部に鈍痛を主訴とする症例が多発する。それらの根治療法は、確立されておらず、また疼痛部位への治療法に対するその効果を判定する客観的手段はなく、もっぱら患者の主観的な訴えのみで、客観的でしかも定量的な判定はなされていない。
【０００４】
このような現状を踏まえ、本発明の発明者は、非観血的に疼痛部位の組織内に蓄積されている疼痛関連物質の濃度を推定する方法について鋭意検討した結果、疼痛部近傍の体表面に蒸散してくる汗を効率的に捕集し、この捕集された汗の中に溶解している物質を解析した結果、疼痛関連物質が含まれていることを見いだした。
【０００５】
即ち、筋肉痛は、微小血管の血流が鬱退してその筋肉組織内に乳酸等の疼痛関連物質が高濃度に蓄積されて発痛すると考えられている。このことは、血液中の乳酸濃度の測定結果から証明されている。しかし、この血液中の乳酸濃度の測定による方法は、採血処理を行なうため、患者にとって負担になる。
【０００６】
本発明の発明者は、通常の化学平衡現象と同様に、筋肉組織内の乳酸濃度とこれに近接している体表面より浸出する汗の中の乳酸濃度との間には一定の濃度比（平行定数）が存在すると考えた。
【０００７】
パップ剤を体表面に塗布することにより皮膚の汗腺から逆に吸収され、毛細血管の血行が改善され治療効果があると言うことに注目した。
【０００８】
以上のことを簡単な式で表現すると下記の通りである。
［ＬＳ］／［ＬＭ］＝Ｋ
【０００９】
ここで［ＬＳ］は皮膚表面の乳酸濃度、［ＬＭ］は筋肉組織内の乳酸濃度、Ｋは平衡定数である。
【００１０】
しかし、上述のように筋肉組織内の乳酸濃度［ＬＭ］を測定することは容易ではない。もしも、治療薬の投与前と投与後の皮膚表面の乳酸濃度［ＬＳ］の値を測定できれば、治療薬による効果の重要な情報が得られる。そのために疼痛部位に近接した皮膚表面に蒸散する汗の量を正確に捕集する必要がある。
【００１１】
【発明が解決しようとする課題】
本発明は、疼痛部位より蒸散する汗による解析が可能なように疼痛部位およびその近傍により蒸散する汗を正確に捕集するための汗捕集用具を提供するものである。
【００１２】
【課題を解決するための手段】
本発明の汗捕集用具は、少なくとも汗を捕集する部位を覆い得る形状、および広さの汗吸収シートを該汗吸収シートよりも広い熱可塑性樹脂等よりなるフィルム上に配置し、前記汗吸収シートの周辺を密封部材にて密封した構成で、吸収シート側を汗を採取する部位に密着させて汗を捕集するものである。
【００１３】
この本発明の汗捕集用具は、これを汗を採取する部位及びその近傍の所望の範囲を汗吸収シートにて覆われるように密着し、所望時間経過後に剥離することにより、計測すべき汗を正確に汗吸収シート内に捕集することが可能である。
【００１４】
それにより、汗吸収シートにて捕集した汗を後に示す例のようにして汗に含まれる成分を正確に解析することが可能である。
【００１５】
また、本発明の汗捕集用具において、熱可塑性フィルムと汗吸収シートとの間に他の吸湿性シートを挿入することにより、顔等の汗の蒸散の量の多い部位でも、汗を完全に捕集することが可能である。
【００１６】
この場合、汗吸収シートと吸湿性シートは、同一材料の物を用いても、異なる材料を用いても、いずれでもよい。
【００１７】
このように、本発明の汗捕集用具は、汗を採取する部位が汗の蒸散量の少ない部位では汗吸収シートのみのものを、また汗の蒸散量の多い部位では汗吸収シートと吸湿性シートとを有するものを使用することが望ましい。
【００１８】
なお、汗吸収シート、吸湿性シートとしては、濾紙、硝子繊維等が好ましい。
【００１９】
【発明の実施の形態】
本発明の発明者は、前記の皮膚表面より蒸散する汗を捕集するために、次のことを試みた。つまり、所定の大きさ、例えば２０ｍｍ×５０ｍｍの大きさの化学の定性用の濾紙を、疼痛部位に近接した皮膚表面に置き、その上を前記の濾紙よりもやや大きめの合成樹脂製フィルムにて覆い、このフィルムの周囲をメディカルで汗がもれないように密封した。所定時間後に濾紙を回収して所定量例えば１０ｍｌの蒸留水中に浸漬して汗の中の成分を抽出いてこの抽出液を全量凍結乾燥した。このようにして得られた残渣を容量比で９０：１０のメタノール：ベンゼンに微量の硫酸を添加した混合溶液の所定量、例えば０．５ｍｌ中でメタノリシスした後にガスクロマトグラフィーにて乳酸メチルとして定量することができた。また、同じ試料から疼痛関連物質とされているプロスタグランジンＥ２（メチルエステル化合物）も定量することができた。このように、上記の方法によれば、原理的には体表面に蒸散する汗を捕集することが可能である。
【００２０】
しかし、前記の方法を顔面に試みたところ、発汗量が多いために汗が濾紙と合成樹脂フィルムの間に貯留され、正確な量を計測できない欠点がある。そのために正確な考察ができない。
【００２１】
本発明の汗捕集用具は、発汗量の多い部位にて用いる場合、前述のようにフィルムと汗吸収シートとの間に他の吸湿性シートを挿入した構成にすることにより、完全に捕集が可能になり、正確な計測が可能になる。
【００２２】
次に本発明の汗捕集用具の実施の形態を述べる。
【００２３】
図１は本発明の汗捕集用具の実施の形態の構成を示す図である。本発明の汗捕集用具は、図１の（Ａ）、（Ｂ）に示すように一定形状（図示するものは長方形状）の熱可塑性フィルム１と、フィルム１と同一形状でこれよりも僅かに小さい汗吸収シート２とを重ねる。尚（Ａ）は上方より見た図、（Ｂ）は下方より見た図である。この（Ａ）、（Ｂ）に示す熱可塑性フィルム１と汗吸収シート２とを重ねたものを熱可塑性フィルム１の周辺と汗吸収シート２との周辺との間の部分３を感熱圧着して密封する。
【００２４】
このようにして得られた本発明の汗捕集用具を汗吸収シート（濾紙）２の側を皮膚の表面（汗を捕集する部分）に接触させて汗吸収シート２にて吸収させる。
【００２５】
図２は、本発明の汗捕集用具の他の実施の形態を示す。この実施の形態の汗捕集用具は、図１に示す汗捕集用具と同様に、熱可塑性フィルム１に汗吸収シート２を配置して、フィルム１とシート２の間に濾紙等よりなる吸湿シート４を挿入した上で、周辺３を熱可塑性フィルムにて覆った後に熱溶着して密封した構成としている。
【００２６】
この図２に示す汗捕集用具は、熱可塑性フィルム１と汗吸収シート２との間に吸湿性シート４を挿入したことを特徴とする。
【００２７】
この図２に示す実施の形態の汗捕集用具は、吸収シートのほかに更に吸湿シートを設けたため、汗の蒸散量の多い部位での汗の捕集にも十分対応できる。
【００２８】
この実施の形態にて用いられる吸収シートと吸湿シートとは、同一材質のシートでもよく、また両者異なった材質のものでもよい。
【００２９】
更に、この実施の形態のように、吸収シートと吸湿シートの両シートを用いる代わりに、厚めの吸収シートのみを用いても汗の蒸散量の多い部位での汗の捕集が可能になる。
【００３０】
本発明の汗捕集用具にて用いられる吸収シートは、高い吸湿性を有する素材であればよいが、吸収した汗を蒸留中に浸漬して汗の成分を抽出するため、可溶性物質は好ましくない。したがって、化学用濾紙や硝子繊維等が望ましい。
【００３１】
また、上記の図１、図２に示す実施の形態の汗捕集用具は、長方形状であるが、これに限ることなく、正方形、円形、楕円形などの任意の形状でよく、捕集部位に応じた最も望ましい形状、大きさにすればよい。
【００３２】
実験例
次に、本発明の汗捕集用具等を用いての実験例を示す。濾紙を測定部位に貼り、単に合成樹脂製フィルムにて覆って汗を捕集した場合｛下記の（１）の方法｝と、図１および図２に示す本発明の実施の形態の捕集具を用いた方法｛下記の（２）、（３）の方法｝とにより、所定の部位より汗を捕集した。
（１）  ２０ｍｍ×５０ｍｍの濾紙を測定部位（上腕の所定部位）に当て、濾紙よりもやや大きめのサランラップで覆い、その周囲をメディカルテープで皮膚から蒸散する汗が飛散しないように固定した。
（２）  ２０ｍｍ×５０ｍｍの濾紙に、濾紙の大きさよりも夫々約３ｍｍ大きなポリエチレン製フィルムを重ねて濾紙の４辺に沿って、ヒートシールした。これを測定部位に固定した。
（３）  ２０ｍｍ×５０ｍｍの第１の濾紙に、更に１５ｍｍ×４０ｍｍの第２の濾紙を重ね、第１の濾紙よりも約３ｍｍ大きなポリエチレン製フィルムを重ねて、この第１の濾紙の周辺に沿ってヒートシールする。これを測定部位に固定する。
捕集方法      乳酸            プロスタグランジンＥ２
（１）    ７．００×１０−４      ３．５０×１０−５
（２）    １．１２×１０−３      ５．５０×１０−５
（３）    １．４０×１０−３      ６．８０×１０−５
【００３３】
以上のようにして、本発明の汗捕集用具にて捕集された汗は、次の述べるようにして汗の成分の分析が行なわれる。
【００３４】
即ち、前述のようにして、汗捕集用具にて捕集、採取された汗は、２時間後に所定の部位より剥離してネジ付き試験管内の濾紙を回収し、５〜１０ｍｌのメタノールに浸漬して濾紙に吸収された汗中の成分を抽出する。抽出後、濾紙を取り除き、メタノールも凍結乾燥にて除去する。また、試験管の底部の残渣に０．５ｍｌの容量比９０：１０のメタノールとベンゼンに触媒として極微量の硫酸を加えた溶液を７０℃の温水浴中で３０〜６０分間メタノリシスして得られた夫々の試料をガスクロマトグラフィーにて乳酸を乳酸メチルとして定量分析した。この乳酸メチルを既知濃度による検量線をもとに、前記各実験により捕集された乳酸量とプロスタグランジンＥ２量（ｍｇ／ｈｒ・ｃｍ２）とを比較した。
【００３５】
以上の実験結果より明らかなように、本発明の汗捕集用具を用いることにより、測定部位よりの汗をより確実に捕集することが可能になり、例えば汗の中に含まれる乳酸の正確な測定が可能となる。これにより、治療効果などの正確な判定等に利用する場合好ましい。
【００３６】
図示する実施の形態の捕集具は、吸収シート、吸湿シート、熱可塑性樹脂フィルム等が長方形状の同一形状であって、熱可塑性樹脂フィルムが他よりも大きい面積である。しかし形状は、これに限ることなく、正方形、円形、楕円等他のいかなる形状であってもよい。つまり、吸収シートは、汗を採取する部位およびその近傍を覆い得るものであればよく、形状はいかなるものでもよい。又、フィルムは、吸収シートよりも面積が大であって、フィルム上に吸収シートを配置した時に、フィルムシートの周辺部分が吸収シートの周辺よりもすべてその外に出るもので、吸収シートの周辺を密封することが可能な形状、大きさであればよい。
【００３７】
【発明の効果】
本発明の汗捕集用具によれば、測定部位にて蒸散する汗を確実に捕集し得るという効果を有する。
【図面の簡単な説明】
【図１】本発明の第１の実施の形態の汗捕集用具の構成を示す図
【図２】本発明の第２の実施の形態の汗捕集用具の構成を示す図
【符号の説明】
１    熱可塑性フィルム
２    吸収シート
３    溶着部
４    吸湿シート
【図１】
2004216020.tif 000003
【図２】
2004216020.tif 000004